(57)【要約】【課題】捕集された塵埃を確実に廃棄可能であり、さらにフィルタ部に付着した塵埃を確実に除去可能な集塵容器および電気掃除機を提案する。【解決手段】塵埃分離集塵容器１０は、蓋部１９を開くと、蓋部１９の移動にともなって一次フィルタ部２０が廃棄開口２５の近傍に移動し、蓋部１９がさらに開方向に移動すると、一次フィルタ部２０がフィルタ部付勢部材２２によって集塵位置に移動する。【選択図】  図２
2010220965.tif 000002
【特許請求の範囲】
【請求項１】
蓄積された塵埃の廃棄開口を有する容器本体と、
前記廃棄開口を開閉自在に閉塞する蓋部と、
前記容器本体の内部に設けられ、集塵位置と前記廃棄開口の近傍との間を移動自在なフィルタ部と、
前記フィルタ部を前記集塵位置に位置させるよう付勢された付勢部と、を備え、
前記蓋部を開くと、前記蓋の移動にともなって前記フィルタ部が前記廃棄開口の近傍に移動し、前記蓋部がさらに開方向に移動すると、前記フィルタ部が前記付勢部によって前記集塵位置に移動するよう構成されたことを特徴とする集塵容器。
【請求項２】
前記フィルタ部は、前記集塵位置と前記廃棄開口の近傍との間を往復動自在に構成されたことを特徴とする請求項１に記載の集塵容器。
【請求項３】
前記容器本体は、前記廃棄開口を底面に有する略筒状に形成され、
前記フィルタ部の外周は、前記容器本体の内周に摺動自在に当接されたことを特徴とする請求項２に記載の集塵容器。
【請求項４】
前記フィルタ部は、前記集塵位置と前記廃棄開口の近傍との間を揺動自在に構成されたことを特徴とする請求項１に記載の集塵容器。
【請求項５】
前記容器本体に回転自在に設けられたピニオンと、
前記フィルタ部に設けられ、前記ピニオンに噛み合わされた鉤状の突起と、
前記蓋部に設けられ、前記ピニオンに噛み合わされたラック部と、を備え、
前記蓋部の開動作によって前記ピニオンを回転させ、前記フィルタが前記集塵位置と前記廃棄開口の近傍との間を移動するよう構成されたことを特徴とする請求項１に記載の集塵容器。
【請求項６】
掃除機本体と、
前記掃除機本体に着脱自在に装着された請求項１から５のいずれか１項に記載の集塵容器と、を備えた電気掃除機。
【発明の詳細な説明】
【技術分野】
【０００１】
本発明は、集塵容器および電気掃除機に関する。
【背景技術】
【０００２】
一般に、電気掃除機は、空気とともに吸い込まれた塵埃を集塵容器に捕集し、蓄積する。電気掃除機のユーザは、集塵容器の容量に限りがあるため、蓄積された塵埃の量が所定の量に達する前に集塵容器から塵埃を廃棄する必要がある。
【０００３】
また、集塵容器は、その内部に空気と塵埃とを分離させるフィルタ部を備える。このフィルタ部が目詰まると、電気掃除機の吸引力が低下する。電気掃除機のユーザは、電気掃除機の吸引力を維持するため、フィルタ部を清掃する必要がある。
【０００４】
そこで、集塵容器の蓋部が開蓋されると、廃棄開口が開放されるとともに、集塵容器の廃棄開口から集塵容器の外方に勢いよく飛び出すフィルタ部を設けることによって、集塵容器に蓄積された塵埃とともにフィルタ部に付着した塵埃を除去する集塵容器が知られる（例えば、特許文献１参照。）。
【先行技術文献】
【特許文献】
【０００５】
【特許文献１】特開２００８−３８０号公報
【発明の概要】
【発明が解決しようとする課題】
【０００６】
従来の集塵容器は、集塵容器の外方にフィルタ部を勢いよく飛び出させることによって、集塵容器に蓄積された塵埃とともに、フィルタ部に付着した塵埃を除去する。
【０００７】
しかしながら、従来の集塵容器は、フィルタ部が集塵容器の外部に勢いよく飛び出すために、廃棄される塵埃も勢いよく飛び出してしまう。このような従来の集塵容器は、塵埃の廃棄にともなう養生が十分でない場合には、塵埃を広範囲にまき散らせてしまう。ステンレス鋼などを用いて構成された網状のフィルタ、いわゆるメッシュフィルタを備えたフィルタ部には、寸法が比較的大きい繊維状の粗塵と、負圧によって圧縮された当該繊維状の粗塵の隙間に捕らえられた粉末状の細塵と、が付着する。このため、メッシュフィルタを備えたフィルタ部が集塵容器の外方に勢いよく飛び出せば、粉末状の細塵まで広範囲に飛散してしまい、衛生上の観点からも問題がある。
【０００８】
本発明は、捕集された塵埃を確実に廃棄可能であり、さらにフィルタ部に付着した塵埃を確実に除去可能な集塵容器および電気掃除機を提案する。
【課題を解決するための手段】
【０００９】
前記の課題を解決するため本発明では、蓄積された塵埃の廃棄開口を有する容器本体と、前記廃棄開口を開閉自在に閉塞する蓋部と、前記容器本体の内部に設けられ、集塵位置と前記廃棄開口の近傍との間を移動自在なフィルタ部と、前記フィルタ部を前記集塵位置に位置させるよう付勢された付勢部と、を備え、前記蓋部を開くと、前記蓋の移動にともなって前記フィルタ部が前記廃棄開口の近傍に移動し、前記蓋部がさらに開方向に移動すると、前記フィルタ部が前記付勢部によって前記集塵位置に移動するよう構成されたことを特徴とする。
【発明の効果】
【００１０】
本発明によれば、捕集された塵埃を確実に廃棄可能であり、さらにフィルタ部に付着した塵埃を確実に除去可能な集塵容器および電気掃除機を提案できる。
【図面の簡単な説明】
【００１１】
【図１】本発明に係る電気掃除機の外観を示した斜視図。
【図２】本発明に係る塵埃分離集塵容器を示した断面図。
【図３】本発明に係る塵埃分離集塵容器が塵埃を蓄積した様子を示した断面図。
【図４】本発明に係る塵埃分離集塵容器の開蓋動作を示した断面図。
【図５】本発明に係る塵埃分離集塵容器の開蓋動作を示した断面図。
【図６】本発明に係る塵埃分離集塵容器の他の例を示した断面図。
【図７】本発明に係る塵埃分離集塵容器の他の例の開蓋動作を示した断面図。
【図８】本発明に係る塵埃分離集塵容器の他の例の開蓋動作を示した断面図。
【図９】本発明に係る塵埃分離集塵容器の他の例を示した断面図。
【図１０】本発明に係る塵埃分離集塵容器の開蓋動作を示した断面図。
【図１１】本発明に係る塵埃分離集塵容器の開蓋動作を示した断面図。
【発明を実施するための形態】
【００１２】
本発明に係る電気掃除機の実施形態について図１から図１０を参照して説明する。
【００１３】
図１は、本発明に係る電気掃除機の外観を示した斜視図である。
【００１４】
図１に示すように、本実施形態に係る電気掃除機１は、掃除機本体２と、集塵ホース３と、手元操作管４と、把持部５と、操作部６と、延長管７と、吸込口体８とを備える。
【００１５】
掃除機本体２は接続口２ａを有する。接続口２ａには、集塵ホース３の一端が着脱自在に接続される。掃除機本体２には、塵埃分離集塵容器１０（集塵容器）と、電動送風機１２と、制御部１３と、が収容される。塵埃分離集塵容器１０は、掃除機本体２に形成された集塵容器収容部２ｂに着脱自在に装着される。制御部１３は、複数の運転モードが設定され、かつ任意の運転モードを択一的に選択可能に構成される。それぞれの運転モードは、電動送風機１２に供給される電力が互いに異なるよう設定される。制御部１３は、選択された運転モードに対応した電力を電動送風機１２に供給し、電動送風機１２の運転出力を制御する。
【００１６】
また、掃除機本体２には、電動送風機１２の排気が吐出される本体排気口（図示省略）が形成される。掃除機本体２は、電動送風機１２に電力を導く電源コード１４を備える。電源コード１４の自由端部には、電源プラグ１５が形成される。
【００１７】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１８】
手元操作管４の一端は、集塵ホース３の他端に設けられる。手元操作管４は、集塵ホース３を介して掃除機本体２の内部に連通される。
【００１９】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００２０】
操作部６は、把持部５に設けられる。電気掃除機１の使用者は、操作部６を操作して電動送風機１２の運転モードを選択できる。操作部６は、電動送風機１２の運転を停止させる停止スイッチ６ａや、電動送風機１２の運転を開始させる起動スイッチ６ｂなどを有する。起動スイッチ６ｂを繰り返し操作することで、電動送風機１２の運転モードを択一的に選択できる。
【００２１】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００２２】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口は、床面などの被掃除面に吸込口体８を配置すると、被掃除面に対向する。
【００２３】
電気掃除機１を運転すると、電動送風機１２が作動して、掃除機本体２の内に負圧が作用する。この負圧は塵埃分離集塵容器１０を介して接続口２ａから集塵ホース３と手元操作管４と延長管７とを経て吸込口体８に作用する。そうすると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵容器１０によって空気と塵埃とに分離される。分離された塵埃は、塵埃分離集塵容器１０に集塵される。他方、分離された空気は、電動送風機１２に吸い込まれて、掃除機本体２の本体排気口から吐出される。
【００２４】
図２は、本発明に係る塵埃分離集塵容器を示した断面図である。
【００２５】
図２に示すように、塵埃分離集塵容器１０は、容器本体１８と、蓋部１９と、一次フィルタ部２０（フィルタ部）と、フィルタ部付勢部材２２（付勢部）と、二次フィルタ部２３と、を備える。
【００２６】
容器本体１８は、略筒状に形成され、筒の底面に相当する位置に廃棄開口２５を有し、筒の側面に相当する位置に空気と塵埃とが案内される吸込口２６を有する。また、容器本体１８は、蓋部１９を揺動自在に保持するヒンジ機構２８と、廃棄開口２５を閉塞した蓋部１９を開閉自在に固定するロック機構２９と、一次フィルタ部２０を移動自在に保持するスライド機構３０と、フィルタ部付勢部材２２の付勢力に抗して一次フィルタ部２０を集塵位置に保持する保持リブ３１と、一次フィルタ部２０が容器本体１８の外部に抜けでないように規制する規制リブ３２と、を備える。ヒンジ機構２８は、廃棄開口２５近傍の容器本体１８の外側面に設けられる。ロック機構２９は、廃棄開口２５近傍の容器本体１８の外側面であって、ヒンジ機構２８から十分に離された位置に設けられる。スライド機構３０は、容器本体１８の内部に設けられる。スライド機構３０は、容器本体１８の内面に形成された基部３４と、基部３４から廃棄開口２５に向かって延設された棒状のガイドレール３５と、を備える。保持リブ３１は、容器本体１８の内面に設けられるとともに、一次フィルタ部２０が吸込口２６よりも容器本体１８の奥側に位置されるよう配置される。規制リブ３２は、廃棄開口２５近傍の容器本体１８の内面に設けられる。
【００２７】
蓋部１９は、ヒンジ機構２８によって揺動自在に保持されるとともに、廃棄開口２５を開閉自在に閉蓋する。蓋部１９には、係止爪部３６が設けられる。他方、容器本体１８には、係止爪部３６に対応させてロック機構２９が設けられる。蓋部１９は、係止爪部３６をロック機構２９によって固定されると、廃棄開口２５を覆って閉塞させ、容器本体１８の内外を区画する。他方、蓋部１９は、係止爪部３６の固定が解除されるとヒンジ機構２８のヒンジ軸３７を中心に揺動し、廃棄開口２５を開蓋する。
【００２８】
一次フィルタ部２０は、容器本体１８の内部に設けられる。また、一次フィルタ部２０は、容器本体１８および蓋部１９の内面とともに集塵室３８を区画する集塵位置と、容器本体１８の廃棄開口２５の近傍との間を移動自在に構成される。
【００２９】
具体的には、一次フィルタ部２０は、ガイドレール３５が挿通された案内孔３９を有し、ガイドレール３５に沿って容器本体１８の内部を往復動自在に構成される。一次フィルタ部２０の廃棄開口２５側に向かう移動は規制リブ３２によって規制され、一次フィルタ部２０の容器本体１８の奥側に向かう移動は保持リブによって規制される。また、一次フィルタ部２０の外周面は、容器本体１８の内周面に摺動自在に当接され、一次フィルタ部２０と容器本体１８との隙間を空気や塵埃が流れないよう構成される。一次フィルタ部２０と容器本体１８との間にシールパッキン（図示省略）を設けても良い。
【００３０】
また、一次フィルタ部２０は、ステンレス鋼などを用いて構成された網状のフィルタ、いわゆるネットフィルタ４１を備える。一次フィルタ部２０は、ネットフィルタ４１によって吸込口２６から集塵室３８に導かれた含塵空気から粗塵を分離し、捕集する。この粗塵は、もっぱら寸法が比較的大きな繊維状の塵埃や、砂粒程度に大きい粒子状の塵埃など、ネットフィルタ４１の網の目で捕らえられる大きさの塵埃である。
【００３１】
フィルタ部付勢部材２２は、一次フィルタ部２０を廃棄開口２５側から容器本体１８の奥側に向かって付勢する。フィルタ部付勢部材２２は、コイルバネなどの弾性体で構成され、その一端が一次フィルタ部２０に固定され、他端が容器本体１８、例えばスライド機構３０の基部３４に固定されて一次フィルタ部２０を付勢する。
【００３２】
一次フィルタ部２０は移動用係合部４２を備え、他方、蓋部１９はフィルタ引出フック４３を備える。
【００３３】
移動用係合部４２は、一次フィルタ部２０の集塵室３８側の面に設けられる。移動用係合部４２の自由端部には、係合爪４２ａが形成される。
【００３４】
フィルタ引出フック４３は、蓋部１９の内面に設けられ、容器本体１８の内部を一次フィルタ部２０に向かって延設される。フィルタ引出フック４３の自由端部には、係合爪４３ａが形成される。フィルタ引出フック４３のアーム部４３ｂは、弾性的な曲げ変形が可能に構成され、係合爪４３ａが係合爪４２ａに係合される際の逃げしろとして変形する。
【００３５】
移動用係合部４２とフィルタ引出フック４３とは、容器本体１８の廃棄開口２５が蓋部１９で閉蓋されると、互いの係合爪４２ａ、４３ａが係合される。塵埃分離集塵容器１０は、このような状態で塵埃を蓄積する。
【００３６】
他方、移動用係合部４２とフィルタ引出フック４３とは、蓋部１９の開蓋動作にともなって、一次フィルタ部２０を集塵位置から移動させ、一次フィルタ部２０が廃棄開口２５近傍に達すると相互の係合が解除される。
【００３７】
すなわち、塵埃分離集塵容器１０は、蓋部１９を開くと、蓋部１９の移動にともなって一次フィルタ部２０が廃棄開口２５の近傍に移動し、さらに蓋部１９を開くと、一次フィルタ部２０がフィルタ部付勢部材２２によって集塵位置に移動する。
【００３８】
二次フィルタ部２３は、容器本体１８に設けられ、一次フィルタ部２０の下流に配置される。二次フィルタ部２３は、不織布などをプリーツ状に形成したプリーツフィルタ４５を備える。二次フィルタ部２３は、プリーツフィルタ４５によって一次フィルタ部２０を通過した含塵空気から細塵を捕集する。
【００３９】
図３は、本発明に係る塵埃分離集塵容器が塵埃を蓄積した様子を示した断面図である。
【００４０】
図３に示すように、塵埃分離集塵容器１０は、掃除機本体２に着脱自在に装着されると、電動送風機１２の吸い込み側に連通される。このとき、電動送風機１２の吸込側は、その上流に二次フィルタ部２３と一次フィルタ部２０とが順次に位置され、さらに上流に集塵室３８が位置され、吸込口２６に至る。塵埃分離集塵容器１０の吸込口２６は、掃除機本体２の接続口２ａを介して集塵ホース３、手元操作管４、延長管７、吸込口体８に順次に連通される。電動送風機１２の作動によって発生した負圧は吸込口体８に作用し、集塵室３８に塵埃を含んだ空気（含塵空気）を案内する。この含塵空気は、一次フィルタ部２０によって、粗塵と、細塵を含んだ空気とにろ過分離される。分離された粗塵は集塵室３８に捕集、蓄積される。他方、一次フィルタ部２０を通過した細塵は、二次フィルタ部２３によって、細塵と、空気とにろ過分離される。
【００４１】
また、集塵室３８に捕集、蓄積された粗塵は、負圧によって圧縮され、繊維状の塵埃が密集した状態となる。この密集した粗塵は、その隙間に細塵の一部を捕集する。
【００４２】
図４および図５は、本発明に係る塵埃分離集塵容器の開蓋動作を示した断面図である。
【００４３】
図４は、蓋部１９の開蓋動作にともなって、一次フィルタ部２０が廃棄開口２５の近傍に移動した状態を示した図である。図５は、蓋部１９が開け放たれた状態を示した図である。
【００４４】
図４および図５に示すように、電気掃除機１のユーザは、塵埃分離集塵容器１０の集塵室３８に塵埃Ｄを捕集、蓄積すると、蓋部１９を開蓋して塵埃Ｄを塵埃分離集塵容器１０から廃棄する。このとき、電気掃除機１のユーザは、廃棄開口２５を、例えばゴミ箱の方向に向けて塵埃分離集塵容器１０を把持する。
【００４５】
一次フィルタ部２０は、蓋部１９の開蓋動作にともなって、集塵位置から廃棄開口２５の近傍に移動される。このとき、集塵室３８に蓄積された塵埃Ｄは、一次フィルタ部２０によって廃棄開口２５の近傍に運搬され、廃棄される。
【００４６】
具体的には、一次フィルタ部２０は、フィルタ部付勢部材２２の付勢力に抗して移動するための力を、互いに係合された移動用係合部４２およびフィルタ引出フック４３によって、蓋部１９から加えられる。また、一次フィルタ部２０は、スライド機構３０のガイドレール３５によって集塵位置から廃棄開口２５の近傍に案内される。
【００４７】
このとき、フィルタ引出フック４３は、蓋部１９の開蓋動作によって容器本体１８の集塵室３８の外方に向かって移動する。係合爪４３ａは、弧状の軌跡（図４中、一点鎖線）を描いて旋回移動する。移動用係合部４２は、係合爪４３ａの旋回移動を一次フィルタ部２０の直進移動に変換する。この移動方向の変換の過程で、フィルタ引出フック４３の係合爪４３ａは、移動用係合部４２の係合爪４２ａで摺動し、係合位置を刻々と変化させる。そして、蓋部１９がさらに開方向に移動すると、一次フィルタ部２０が廃棄開口２５の近傍に達し、係合爪４３ａは、係合爪４２ａの端部に達して係合が解除される。したがって、係合爪４２ａの幅Ｗは、係合爪４３ａの摺動方向と、一次フィルタ部２０の移動量（集塵位置から廃棄開口２５の近傍に至る移動量）とを考慮して設定される。
【００４８】
集塵室３８に蓄積された塵埃Ｄは、一次フィルタ部２０が廃棄開口２５の近傍に達すると、廃棄開口２５から廃棄される。
【００４９】
すなわち、塵埃分離集塵容器１０は、集塵室３８の内部に移動自在に設けられた一次フィルタ部２０によって、集塵室３８に蓄積された塵埃Ｄを廃棄できる。したがって、塵埃Ｄは、電気掃除機１のユーザにとって予測し易い方向に排出される。一次フィルタ部２０の移動は、フィルタ部付勢部材２２の付勢力によって弱められるので、塵埃Ｄの排出速度は、電気掃除機１のユーザにとって勢い余る状態にはならない。
【００５０】
そして、一次フィルタ部２０は、係合爪４３ａと係合爪４２ａとの係合が解除されると、フィルタ部付勢部材２２の付勢力によって集塵位置に戻される。このとき、一次フィルタ部２０は、保持リブ３１に衝突し、ネットフィルタ４１に衝撃力が印加される。ネットフィルタ４１に付着した塵埃ｄは、この衝撃力によってネットフィルタ４１から除去される。そうすると、電気掃除機１のユーザはネットフィルタ４１から除去された塵埃ｄを廃棄開口２５から廃棄できる。このようにして、塵埃分離集塵容器１０に蓄積された塵埃Ｄ、ｄは廃棄される。
【００５１】
フィルタ引出フック４３は、蓋部１９の閉蓋動作の過程で、集塵室３８内に侵入し、移動用係合部４２に接近する。そして、容器本体１８の廃棄開口２５が蓋部１９で閉蓋されると、フィルタ引出フック４３のアーム部４３ｂが弾性的に変形し、係合爪４３ａが係合爪４２ａを乗り越え、フィルタ引出フック４３と移動用係合部４２とが係合される。
【００５２】
図６は、本発明に係る塵埃分離集塵容器の他の例を示した断面図である。
【００５３】
図６に示すように、塵埃分離集塵容器１０Ａは、容器本体１８Ａと、蓋部１９Ａと、一次フィルタ部２０Ａと、フィルタ部付勢部材２２Ａと、二次フィルタ部２３と、を備える。
【００５４】
なお、本実施形態に係る塵埃分離集塵容器１０Ａにおいて塵埃分離集塵容器１０と同じ構成には同一の符号を付し、重複する説明は省略する。
【００５５】
容器本体１８Ａは、略筒状に形成され、筒を斜めに切断した際の切り口に相当する位置に廃棄開口２５Ａを有する。
【００５６】
蓋部１９Ａは、ヒンジ機構２８によって揺動自在に保持されるとともに、廃棄開口２５Ａを開閉自在に閉蓋する。
【００５７】
一次フィルタ部２０Ａは、容器本体１８Ａの内部に設けられる。また、一次フィルタ部２０Ａは、容器本体１８Ａおよび蓋部１９Ａの内面とともに集塵室３８を区画する集塵位置と、容器本体１８Ａの廃棄開口２５Ａの近傍との間を移動自在に構成される。
【００５８】
具体的には、一次フィルタ部２０Ａは、容器本体１８に設けられたフィルタ揺動軸４６によって容器本体１８Ａの内部を往復動自在に構成される。
【００５９】
フィルタ部付勢部材２２Ａは、一次フィルタ部２０Ａを廃棄開口２５Ａ側から容器本体１８Ａの奥側に向かって付勢する。フィルタ部付勢部材２２Ａは、ねじりコイルバネなどの弾性体で構成され、その一端が一次フィルタ部２０に固定され、他端が容器本体１８の内壁に当接されて一次フィルタ部２０Ａを付勢する。
【００６０】
移動用係合部４２とフィルタ引出フック４３とは、容器本体１８Ａの廃棄開口２５Ａが蓋部１９Ａで閉蓋されると、互いの係合爪４２ａ、４３ａが係合される。塵埃分離集塵容器１０Ａは、このような状態で塵埃を蓄積する。
【００６１】
他方、移動用係合部４２とフィルタ引出フック４３とは、蓋部１９Ａの開蓋動作にともなって、一次フィルタ部２０Ａを集塵位置から移動させ、一次フィルタ部２０Ａが廃棄開口２５Ａの近傍に達すると相互の係合が解除される。
【００６２】
すなわち、塵埃分離集塵容器１０Ａは、蓋部１９Ａを開くと、蓋部１９Ａの移動にともなって一次フィルタ部２０Ａが廃棄開口２５Ａの近傍に移動し、さらに蓋部１９Ａを開くと、一次フィルタ部２０Ａがフィルタ部付勢部材２２Ａによって集塵位置に移動する。
【００６３】
図７および図８は、本発明に係る塵埃分離集塵容器の他の例の開蓋動作を示した断面図である。
【００６４】
図７は、蓋部１９Ａの開蓋動作にともなって、一次フィルタ部２０Ａが廃棄開口２５の近傍に移動した状態を示した図である。図８は、蓋部１９Ａが開け放たれた状態を示した図である。
【００６５】
図７および図８に示すように、電気掃除機１のユーザは、塵埃分離集塵容器１０Ａの集塵室３８に塵埃Ｄを捕集、蓄積すると、蓋部１９Ａを開蓋して塵埃Ｄを塵埃分離集塵容器１０Ａから廃棄する。このとき、電気掃除機１のユーザは、廃棄開口２５Ａを、例えばゴミ箱の方向に向けて塵埃分離集塵容器１０Ａを把持する。
【００６６】
一次フィルタ部２０Ａは、蓋部１９Ａの開蓋動作にともなって、集塵位置から廃棄開口２５Ａの近傍に移動される。このとき、集塵室３８に蓄積された塵埃Ｄは、一次フィルタ部２０Ａによって廃棄開口２５Ａの近傍に運搬され、廃棄される。
【００６７】
具体的には、一次フィルタ部２０Ａは、フィルタ部付勢部材２２Ａの付勢力に抗して移動するための力を、互いに係合された移動用係合部４２およびフィルタ引出フック４３によって、蓋部１９Ａから加えられる。
【００６８】
このとき、フィルタ引出フック４３は、蓋部１９Ａの開蓋動作によって容器本体１８Ａの集塵室３８の外方に向かって移動する。係合爪４３ａは、弧状の軌跡（図６中、一点鎖線）を描いて旋回移動する。移動用係合部４２は、係合爪４３ａの旋回移動を一次フィルタ部２０Ａの揺動移動に変換する。この移動方向の変換の過程で、フィルタ引出フック４３の係合爪４３ａは、移動用係合部４２の係合爪４２ａで摺動し、係合位置を刻々と変化させる。そして、蓋部１９Ａがさらに開方向に移動すると、一次フィルタ部２０Ａが廃棄開口２５Ａの近傍に達し、係合爪４３ａは、係合爪４２ａの端部に達して係合が解除される。したがって、係合爪４２ａの幅Ｗは、係合爪４３ａの摺動方向と、一次フィルタ部２０Ａの移動量（集塵位置から廃棄開口２５Ａの近傍に至る移動量）とを考慮して設定される。
【００６９】
集塵室３８に蓄積された塵埃Ｄは、一次フィルタ部２０Ａが廃棄開口２５Ａの近傍に達すると、廃棄開口２５Ａから廃棄される。
【００７０】
すなわち、塵埃分離集塵容器１０Ａは、集塵室３８の内部に移動自在に設けられた一次フィルタ部２０Ａによって、集塵室３８に蓄積された塵埃Ｄを廃棄できる。したがって、塵埃Ｄは、電気掃除機１のユーザにとって予測し易い方向に排出される。一次フィルタ部２０Ａの移動は、フィルタ部付勢部材２２Ａの付勢力によって弱められるので、塵埃Ｄの排出速度は、電気掃除機１のユーザにとって勢い余る状態にはならない。
【００７１】
そして、一次フィルタ部２０Ａは、係合爪４３ａと係合爪４２ａとの係合が解除されると、フィルタ部付勢部材２２Ａの付勢力によって集塵位置に戻される。このとき、一次フィルタ部２０Ａは、保持リブ３１に衝突し、ネットフィルタ４１に衝撃力が印加される。ネットフィルタ４１に付着した塵埃ｄは、この衝撃力によってネットフィルタ４１から除去される。そうすると、電気掃除機１のユーザは、ネットフィルタ４１から除去された塵埃ｄを廃棄開口２５Ａから廃棄できる。このようにして、塵埃分離集塵容器１０Ａに蓄積された塵埃Ｄ、ｄは廃棄される。
【００７２】
塵埃分離集塵容器１０Ａは、蓋部１９Ａの閉蓋動作の過程で、集塵室３８内にフィルタ引出フック４３が侵入し、移動用係合部４２に接近する。そして、容器本体１８Ａの廃棄開口２５Ａが蓋部１９Ａで閉蓋されると、フィルタ引出フック４３のアーム部４３ｂが弾性的に変形し、係合爪４３ａが係合爪４２ａを乗り越え、フィルタ引出フック４３と移動用係合部４２とが係合される。
【００７３】
図９は、本発明に係る塵埃分離集塵容器の他の例を示した断面図である。
【００７４】
図９に示すように、塵埃分離集塵容器１０Ｂは、容器本体１８Ｂと、蓋部１９Ｂと、一次フィルタ部２０Ｂと、フィルタ部付勢部材２２Ａと、二次フィルタ部２３と、を備える。
【００７５】
なお、本実施形態に係る塵埃分離集塵容器１０Ｂにおいて塵埃分離集塵容器１０、１０Ａと同じ構成には同一の符号を付し、重複する説明は省略する。
【００７６】
一次フィルタ部２０Ｂは移動用係合部４２を備え、蓋部１９Ｂはフィルタ引出ラック４７を備え、容器本体１８Ｂはフィルタ引出歯車組立４８を備える。
【００７７】
フィルタ引出ラック４７は、蓋部１９Ｂの内面に設けられ、容器本体１８Ｂの内部を一次フィルタ部２０Ｂに向かって延設される。
【００７８】
フィルタ引出歯車組立４８は、移動用係合部４２の係合爪４２ａ（鉤状の突起）が噛み合う第一ピニオン４９と、フィルタ引出ラック４７のラック歯４７ａが噛み合う第二ピニオン５１と、第一ピニオン４９と第二ピニオン５１とを接続するクラッチ機構（図示省略）と、を備える。
【００７９】
第一ピニオン４９および第二ピニオン５１は、容器本体１８Ｂに回動自在に設けられる。
【００８０】
クラッチ機構は、蓋部１９Ｂの開蓋動作にともないフィルタ引出ラック４７が容器本体１８Ｂの集塵室３８の外方に移動する際は、第二ピニオン５１の回転を第一ピニオン４９に伝達し、他方、蓋部１９Ｂの閉蓋動作にともないフィルタ引出ラック４７が容器本体１８Ｂの集塵室３８の内方に移動する際は、第二ピニオン５１を空転させる。
【００８１】
移動用係合部４２とフィルタ引出ラック４７とフィルタ引出歯車組立４８とは、容器本体１８Ｂの廃棄開口２５Ｂが蓋部１９Ｂで閉蓋されると、移動用係合部４２が第一ピニオン４９に噛み合い、フィルタ引出ラック４７が第二ピニオン５１に噛み合う。塵埃分離集塵容器１０Ｂは、このような状態で塵埃を蓄積する。
【００８２】
他方、移動用係合部４２とフィルタ引出ラック４７とフィルタ引出歯車組立４８とは、蓋部１９Ｂの開蓋動作にともなって、第二ピニオン５１が回転し、この第二ピニオン５１によって第一ピニオン４９が回転する。回転する第一ピニオン４９は、一次フィルタ部２０Ａを集塵位置から移動させて容器本体１８Ｂの廃棄開口２５Ｂに近づける。このとき、第一ピニオン４９の歯と移動用係合部４２の係合爪４２ａとの噛み合い量が次第に小さくなり、一次フィルタ部２０Ｂが容器本体１８Ｂの廃棄開口２５Ｂの近傍に達すると移動用係合部４２の係合爪４２ａは第一ピニオン４９の隣の歯に噛み合い、一次フィルタ部２０Ｂは、集塵位置に戻る。
【００８３】
また、フィルタ引出ラック４７とフィルタ引出歯車組立４８とは、蓋部１９Ｂの閉蓋動作にともなって、第二ピニオン５１が回転するものの、このときの第二ピニオン５１は、空転し、その回転は第一ピニオン４９に伝達されることはない。すなわち、一次フィルタ部２０Ｂが集塵位置に位置されたまま、蓋部１９Ｂの閉蓋動作が可能である。
【００８４】
すなわち、塵埃分離集塵容器１０Ｂは、蓋部１９Ｂを開くと、蓋部１９Ｂの移動にともなって一次フィルタ部２０Ｂが廃棄開口２５Ｂの近傍に移動し、さらに蓋部１９Ｂを開くと、一次フィルタ部２０Ｂがフィルタ部付勢部材２２Ａによって集塵位置に移動する。
【００８５】
このとき、蓋部１９Ｂの移動にともなってフィルタ引出ラック４７が第二ピニオン５１を回転させ、この回転によって第一ピニオン４９の歯が移動用係合部４２の係合爪４２ａを次々に付勢し、この付勢力とフィルタ部付勢部材２２Ａによって一次フィルタ部２０Ｂが集塵位置と廃棄開口２５Ｂの近傍との間を移動する。
【００８６】
図１０および図１１は、本発明に係る塵埃分離集塵容器の開蓋動作を示した断面図である。
【００８７】
図１０は、蓋部１９Ｂの開蓋動作にともなって、一次フィルタ部２０Ｂが廃棄開口２５Ｂの近傍に移動した状態を示した図である。図１１は、蓋部１９Ｂが開け放たれた状態を示した図である。
【００８８】
図１０および図１１に示すように、電気掃除機１のユーザは、塵埃分離集塵容器１０Ｂの集塵室３８に塵埃Ｄを捕集、蓄積すると、蓋部１９Ｂを開蓋して塵埃Ｄを塵埃分離集塵容器１０Ｂから廃棄する。このとき、電気掃除機１のユーザは、廃棄開口２５Ｂを、例えばゴミ箱の方向に向けて塵埃分離集塵容器１０Ｂを把持する。
【００８９】
一次フィルタ部２０Ｂは、蓋部１９Ｂの開蓋動作にともなって、集塵位置から廃棄開口２５Ｂの近傍に移動される。このとき、集塵室３８に蓄積された塵埃Ｄは、一次フィルタ部２０Ｂによって廃棄開口２５Ｂの近傍に運搬され、廃棄される。
【００９０】
具体的には、一次フィルタ部２０Ｂは、フィルタ部付勢部材２２Ａの付勢力に抗して移動するための力を、移動用係合部４２とフィルタ引出ラック４７とフィルタ引出歯車組立４８とによって、蓋部１９Ｂから加えられる。
【００９１】
さらに具体的には、フィルタ引出ラック４７は、蓋部１９Ｂの開蓋動作によって塵埃分離集塵容器１０Ｂの外方に向かって移動する。これによってフィルタ引出歯車組立４８の第二ピニオン５１は回転する。第二ピニオン５１の回転は第一ピニオン４９に伝達される。回転する第一ピニオン４９は、一次フィルタ部２０Ｂを集塵位置から移動させて容器本体１８Ｂの廃棄開口２５Ｂに近づける。
【００９２】
集塵室３８に蓄積された塵埃Ｄは、一次フィルタ部２０Ｂが廃棄開口２５の近傍に達すると、廃棄開口２５Ｂに近づけられ、もしくは廃棄開口２５Ｂから廃棄される。
【００９３】
すなわち、塵埃分離集塵容器１０Ｂは、集塵室３８の内部に移動自在に設けられた一次フィルタ部２０Ｂによって、集塵室３８に蓄積された塵埃Ｄを廃棄できる。したがって、塵埃Ｄは、電気掃除機１のユーザにとって予測し易い方向に排出される。一次フィルタ部２０Ｂの移動は、フィルタ部付勢部材２２の付勢力によって弱められるので、塵埃Ｄの排出速度は、電気掃除機１のユーザにとって勢い余る状態にはならない。
【００９４】
そして、第一ピニオン４９の回転にともなって、一次フィルタ部２０Ｂが容器本体１８Ｂの廃棄開口２５Ｂの近傍に達すると移動用係合部４２の係合爪４２ａは第一ピニオン４９の隣の歯に噛み合い、一次フィルタ部２０Ｂは、集塵位置に戻る。すなわち、一次フィルタ部２０Ｂは、蓋部１９Ｂの開蓋動作が継続する限り、次々に集塵位置から容器本体１８Ｂの廃棄開口２５Ｂの近傍に移動され、そのたびに、保持リブ３１に衝突し、ネットフィルタ４１に衝撃力が印加される。ネットフィルタ４１に付着した塵埃ｄは、この衝撃力によってネットフィルタ４１から除去される。そうすると、電気掃除機１のユーザは、ネットフィルタ４１から除去された塵埃ｄを廃棄開口２５Ｂから廃棄できる。このようにして、塵埃分離集塵容器１０に蓄積された塵埃Ｄ、ｄは廃棄される。
【００９５】
塵埃分離集塵容器１０Ｂは、蓋部１９Ｂの閉蓋動作の過程で、集塵室３８内にフィルタ引出ラック４７が侵入し、第二ピニオン５１に噛み合う。
【００９６】
本実施形態に係る電気掃除機１および塵埃分離集塵容器１０、１０Ａ、１０Ｂによれば、捕集し、蓄積した塵埃を廃棄する際に、蓋部１９、１９Ａ、１９Ｂの開蓋動作に連動させて一次フィルタ部２０、２０Ａ、２０Ｂを移動させることによって集塵室３８に蓄積された塵埃Ｄを容器本体１８、１８Ａ、１８Ｂから確実に廃棄できるとともに、一次フィルタ部２０、２０Ａ、２０Ｂに付着した塵埃ｄをネットフィルタ４１から確実に除去し、廃棄できる。
【００９７】
また、本実施形態に係る電気掃除機１および塵埃分離集塵容器１０、１０Ａ、１０Ｂによれば、一次フィルタ部２０、２０Ａ、２０Ｂを容器本体１８、１８Ａ、１８Ｂの内部領域で移動させることにより、塵埃Ｄ、ｄを廃棄できるので、容器本体１８、１８Ａ、１８Ｂから廃棄される塵埃Ｄ、ｄを飛散させることがなく、衛生的である。
【００９８】
さらに、本実施形態に係る電気掃除機１および塵埃分離集塵容器１０Ｂによれば、蓋部１９Ｂの１回の開蓋動作で一次フィルタ部２０Ｂに複数回の衝撃を加え、ネットフィルタ４１から塵埃ｄをより確実に除去できる。
【００９９】
なお、本実施形態に係る電気掃除機１および塵埃分離集塵容器１０は、一次フィルタ部２０、２０Ａ、２０Ｂに付着した塵埃を除去する形態について説明したが、二次フィルタ部２３も同様な構成とすることでプリーツフィルタ４５に付着した細塵を除去できる。
【符号の説明】
【０１００】
１  電気掃除機
２  掃除機本体
２ａ  接続口
２ｂ  集塵容器収容部
３  集塵ホース
４  手元操作管
５  把持部
６  操作部
６ａ  停止スイッチ
６ｂ  起動スイッチ
７  延長管
８  吸込口体
１０、１０Ａ、１０Ｂ  塵埃分離集塵容器
１２  電動送風機
１３  制御部
１４  電源コード
１５  電源プラグ
１８、１８Ａ、１８Ｂ  容器本体
１９、１９Ａ、１９Ｂ  蓋部
２０、２０Ａ、２０Ｂ  一次フィルタ部
２２  フィルタ部付勢部材
２３  二次フィルタ部
２５  廃棄開口
２６  吸込口
２８  ヒンジ機構
２９  ロック機構
３０  スライド機構
３１  保持リブ
３２  規制リブ
３４  基部
３５  ガイドレール
３６  係止爪部
３７  ヒンジ軸
３８  集塵室
３９  案内孔
４１  ネットフィルタ
４２  移動用係合部
４２ａ  係合爪
４３  フィルタ引出フック
４３ａ  係合爪
４３ｂ  アーム部
４５  プリーツフィルタ
４６  フィルタ揺動軸
４７  フィルタ引出ラック
４７ａ  ラック歯
４８  フィルタ引出歯車組立
４９  第一ピニオン
５１  第二ピニオン
【図１】
2010220965.tif 000003
【図２】
2010220965.tif 000004
【図３】
2010220965.tif 000005
【図４】
2010220965.tif 000006
【図５】
2010220965.tif 000007
【図６】
2010220965.tif 000008
【図７】
2010220965.tif 000009
【図８】
2010220965.tif 000010
【図９】
2010220965.tif 000011
【図１０】
2010220965.tif 000012
【図１１】
2010220965.tif 000013